(57)【要約】【課題】内容物を取り出しやすくなるように改良された包装袋を提供することを主要な目的とする。【解決手段】本発明に係る包装袋１は、第１の収容部９と、第１の収容部９から分岐し、空間部が連通した第２の収容部１０とを備える。第２の収容部１０の容積は、第１の収容部９の容積より小さくされている。第１の収容部９の上辺、下辺及び両側部の４辺がヒートシールで止められている。【選択図】図１
2017077910.tif 000002
【特許請求の範囲】
【請求項１】
第１の収容部と、
前記第１の収容部から分岐し、空間部が連通した第２の収容部と、を備え、
前記第２の収容部の容積は、前記第１の収容部の容積より小さくされており、
前記第１の収容部の上辺、下辺及び両側部の４辺がヒートシールで止められている包装袋。
【請求項２】
前記第２の収容部の両側部もヒートシールで止められている請求項１に記載の包装袋。
【発明の詳細な説明】
【技術分野】
【０００１】
本発明は一般に包装袋に関するものであり、より特定的には、内容物を取り出しやすくなるように改良された包装袋に関する。
【背景技術】
【０００２】
従来から使用されている包装袋１の基本的構成は、図５（Ａ）、（Ｂ）に示すように、前後２面の壁面フィルム１ａ、１ｂを備え、これらの４辺すなわち両側部と上辺と下辺をシールしてなる。斜めハッチングした部分がシール部２である。包装袋１は、壁面フィルム１ａ、１ｂの下辺の間に、底面フィルム３を内側に向けて折り返し、底面フィルム折り返し部４まで挿入してなるガゼット５を有する。底面フィルム３を広げると、図５（Ｂ）に示すように自立する。
【０００３】
包装袋１の上部には、再封止手段であるチャック６（チャックを合わせて端から軽くおさえて閉める機能を有する）が設けられている。一方の側のフィルム１ａと他方の側のフィルム１ｂとに囲まれて形成された収容部に、サプリメント錠剤などの内容物７が密封される。図５（Ｃ）に示すように、切り欠き部１７より開封し、チャック６を開け、収容部に手７の指を差し込んで、内容物７を取り出す。取り出した後は、チャック６を再封して密封する。
【０００４】
また上記チャックではなく簡易に再封する機能を備えた包装袋も提案されている（例えば特許文献１参照）。
【先行技術文献】
【特許文献】
【０００５】
【特許文献１】特開２００８−２６５８２６号公報
【発明の概要】
【発明が解決しようとする課題】
【０００６】
しかしながら、従来の包装袋では、図５（Ｃ）に示すように、収容部７に手８の指を差し込んで、内容物７を取り出す際に、内容物７の量が少なくなってきた場合、包装袋１の奥深くまで、手７の指を差し込まなければならず、取り出しづらいという問題点があった。包装袋１を逆さまにして、内容物７を手のひらの上に落として取り出さざるを得ないが、この場合、内容物７が必要以上に出てしまうという問題点があった。
【０００７】
この発明は、上記のような問題点を解決するためになされたもので、内容物を取り出しやすく改良された包装袋を提供することを目的とする。
【０００８】
この発明の他の目的は、内容物を少しずつ小出しして取り出せるように改良された包装袋を提供することにある。
【課題を解決するための手段】
【０００９】
本発明に係る包装袋は、第１の収容部と、上記第１の収容部から分岐し、空間部が連通した第２の収容部と、を備える。上記第２の収容部の容積は、上記第１の収容部の容積より小さくされている。上記第１の収容部の上辺、下辺及び両側部の４辺がヒートシールで止められている。
【００１０】
本発明によれば、１つの袋で２つの収容部を持たせることができる。連通部分を通して、内容物を、第１の収容部から、容積がより小さくされた第２の収容部に移動させることができる。
【００１１】
上記第２の収容部の両側部もヒートシールで止められているのが好ましい。
【００１２】
上記第２の収容部の下部はヒートシールで止められていてもよく、ヒートシールされていなくてもよい。
【００１３】
上記表層はポリエステル系フィルム又はポリアミド系フィルムで形成されており、上記中間層はアルミ箔で形成されており、上記シール層はポリエチレン系フィルムで形成されているのが好ましい。
【発明の効果】
【００１４】
本発明によれば、第１の収容部に充填されていた内容物の量が減って手で取り出しにくくなった場合には、連通部分を通して、内容物を第１の収容部から、それよりも容積の小さい第２の収容部に移動させることができる。第２の収容部に移動した内容物は、底が浅いので、指を差し込んで容易に取り出せる。
【図面の簡単な説明】
【００１５】
【図１】（Ａ）は、本発明の実施例１に係る包装袋の正面図であり、（Ｂ）は図１（Ａ）におけるＢ−Ｂ線に沿う断面図である。
【図２】（Ａ）〜（Ｉ）は、本発明の実施例１に係る包装袋の動作を説明する図である。
【図３】（Ａ）は、本発明の実施例２に係る包装袋の製造方法の第１の工程における斜視図であり、（Ｂ）は図１（Ａ）におけるＢ−Ｂ線に沿う断面図であり、（Ｃ）は第２の工程における斜視図であり、（Ｄ）は完成した包装袋の正面図であり、（Ｅ）は、図３（Ｄ）におけるＥ-Ｅ線に沿う断面図である。
【図４】（Ａ）は、本発明の実施例３に係る包装袋の製造方法の第１の工程における斜視図であり、（Ｂ）は図４（Ａ）におけるＢ−Ｂ線に沿う断面図であり、（Ｃ）は第２の工程における斜視図であり、（Ｄ）は完成した包装袋の正面図であり、（Ｅ）は、図４（Ｄ）におけるＥ‐Ｅ線に沿う断面図である。
【図５】（Ａ）従来から使用されているガゼット付き包装用袋の概念図であり、（Ｂ）は底面部を開いたときの概念図であり、（Ｃ）は従来の包装用袋の問題点を示す図である。
【発明を実施するための形態】
【００１６】
内容物を取り出しやすく改良された包装袋を得るという目的を、第１の収容部と、該第１の収容部から分岐し、空間部が連通する第２の収容部とを設け、第２の収容部の容積を第１の収容部の容積より小さくすることによって実現した。以下、本発明の実施例を、図を用いて説明する。なお、各図中において、同一又は相当する部分には同一の参照番号を付し、その説明を繰り返さない。
【実施例１】
【００１７】
図１（Ａ）及び（Ｂ）を参照して、本発明の実施例１に係る包装袋１は、第１の収容部９と、第１の収容部９から分岐し、空間部が連通した第２の収容部１０と、を備える。第２の収容部１０の容積は、第１の収容部９の容積より小さくされている。包装袋１の上方にはチャック６と切り欠き部１７が設けられている。第１の収容部９に内容物７が充填され、第１の収容部９の上辺、下辺及び両側部の４辺がヒートシールで止められている。包装袋１を形成する一方の壁面フィルム１ａと他方の壁面フィルム１ｂは、それぞれ後述する表面層/中間層/シール層からなる。これらは、接着剤等で貼り合わせる。
【００１８】
図示はしないが、底部にガゼットを形成する場合には、壁面フィルム１ａ、１ｂの下辺の間に、底面フィルムを内側に向けて折り返して挿入し、上記ヒートシールを行う。
【００１９】
次に動作について説明する。
【００２０】
図１（Ｂ）と図２（Ａ）を参照して、サプリメント錠剤などの内容物７が入った包装袋１の切り欠き部１７を切って開封し、チャック６を開けて、第１の収容部９に手８の指を挿入して内容物７を取り出す。内容物７を取り出し続けて、内容物７の量が減ってきて、手８の指が届かず、取り出しにくくなった場合、図２（Ｂ）、（Ｃ）に示すように、第２の収容部１０を上の方に折り返し、第１の収容部９の開口部９ａを下の方に折り返す。次に図２（Ｄ）を参照して、包装袋１を上下逆さまにして、連通部分を通して、内容物７を第１の収容部９から、容積のより小さい第２の収容部１０に移動させる。図２（Ｅ）が内容物７の移動が完了した状態である。
【００２１】
内容物の取り出し方には２つある。１つの方法として、図２(Ｆ）に示すように、手８の指を、第１の収容部９の開口部９ａから、第２の収容部１０の中に入れて内容物７を取り出す。第２の収容部１０は容積が小さいので底が浅く、指が届く深さであるので、手８の指を差し込んで容易に内容物７を取り出せる。
【００２２】
内容物の取り出し方の他の方法として、図２（Ｅ）、（Ｇ）を参照して、第２の収容部１０を上の方に折り返し、第１の収容部９の開口部９ａを下の方に折り返す。そして、上下逆さまにした状態が、図２（Ｈ）に示した状態である。図２（Ｉ）に示すように、手８の指を、第１の収容部９の開口部９ａから、第２の収容部１０の中に入れて内容物７を取り出す。第２の収容部１０は容積が小さいので底が浅く、指が届く深さであるので、手８の指を差し込んで容易に内容物７を取り出せる。
【００２３】
また、上述の使い方以外に、第１の収容部９に入っている内容物７を容積のより小さい第２の収容部１０に小出しして、第２の収容部１０から少しずつ取り出すという使い方もできる。
【実施例２】
【００２４】
本発明に係る包装袋の製造方法について説明する。
図３（Ａ）、（Ｂ）を参照して、前後２面の壁面フィルム１ａ、１ｂをまず準備する。チャックが付けられているが、図示を省略する。前後２面の壁面フィルム１ａ、１ｂは、それぞれ表面層１１/中間層１３/シール層１４からなる。前後２面の壁面フィルム１ａ、１ｂを、互いのシール層１４が向かい合うように重ね合わせる。
【００２５】
表面層１１はポリエステル系フィルム又はポリアミド系フィルムで形成されるのが好ましいが、これに限定されるものではない。表面層１１の厚みはポリエステルの場合１２〜２５μｍ、ポリアミドの場合１５μｍである。中間層１３はアルミ（ＡＬ）箔で形成されるのが好ましい。中間層１３の厚みは７μｍである。中間層１３は省略されてもよい。シール層１４の厚みは４０〜７０μｍである。シール層１４は、後述する熱シールするためのものであり、ポリプロピレン系フィルム又はポリエチレン系フィルムで形成されるのが好ましい。
【００２６】
図３（Ａ）に示すように、一方の壁面フィルム１ａを他方の壁面フィルム１ｂの上で第２の収容部１０の空間部を形成するように手繰り寄せる。図３（Ｃ）に示すように、一方の壁面フィルム１ａの上記手繰り寄せられた部分１５を上記他方の壁面フィルム１ｂの上に押し付けられるように折り畳み、重ね合わされた前後２面の壁面フィルム１ａ，１ｂの両側部と下辺をヒートシールする。これによって、図３（Ｄ）の正面図及び、（Ｅ）の断面図に示すような第１の収容部９と該第１の収容部９から分岐し、空間部が連通した第２の収容部１０を有する包装袋１が得られる。第２の収容部１０の容積は、第１の収容部９のそれよりも小さくされる。第２の収容部１０の深さは、好ましくは指が届く深さにされる。
【００２７】
図示はしないが、底部にガゼットを形成する場合には、壁面フィルム１ａ、１ｂの下辺の間に、底面フィルムを内側に向けて折り返して挿入し、上記ヒートシールを行う。
【００２８】
その後、図示を省略するが、第１の収容部９に内容物を充填し、袋の上辺を熱シールする。これによって、第１の収容部９の上辺、下辺及び両側部の４辺がヒートシールで止められた包装袋１が得られる。
【実施例３】
【００２９】
本発明に係る包装袋の他の製造方法について説明する。
図４（Ａ）を参照して、一方の壁面フィルム１ａを２枚準備し、Ｌ字型に折り、これらを他方の壁面フィルム１ｂの上で、互いの直立部分１６，１６をそれぞれ対向させて配置する。チャックが付けられているが、図示を省略する。壁面フィルム１ａ、１ｂは、図４（Ｂ）に示すように、それぞれ表面層１１/中間層１３/シール層１４からなる。これらの壁面フィルム１ａ、１ｂを、互いのシール層１４が向かい合うように重ね合わせる。
【００３０】
図４（Ａ），（Ｃ）に示すように、一方の壁面フィルム１ａ，１ａの直立部分１６，１６を他方の壁面フィルム１ｂの上に押し付けるように折り畳み、重ね合わされた前後２面の壁面フィルムの両側部と下辺と、直立部分１６，１６の上端をヒートシールする。これによって、図４（Ｄ）の正面図及び、図４（Ｅ）の断面図に示すような、第１の収容部９と該第１の収容部９から分岐し、空間部が連通した第２の収容部１０を有する包装袋１が得られる。第２の収容部１０の深さは、第１の収容部９のそれよりも容積が小さくなるように選ばれている。図示はしないが、底部にガゼットを形成する場合には、壁面フィルム１ａ、１ｂの下辺の間に、底面フィルムを内側に向けて折り返して挿入し、上記ヒートシールを行う。その後、図示を省略するが、第１の収容部９に内容物を充填し、袋の上辺を熱シールする。これによって、第１の収容部９の上辺、下辺及び両側部の４辺がヒートシールで止められている包装袋１が得られる。内容物の取り出し方は、図２に示した方法と同じである。
【００３１】
当該包装袋はピロー袋又はガゼット袋であってもよい。
【００３２】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３３】
本発明によれば、内容物の量が減ってきて、手の指が届かず、取り出しにくくなった場合でも容易に取り出すことができる。
【符号の説明】
【００３４】
１     包装袋
１ａ   一方の壁面フィルム
１ｂ   他方の壁面フィルム
２     シール部
３     底面フィルム
４     折り返し部
５     ガゼット
６     チャック
７     内容物
８     手
９     第１の収容部
１０   第２の収容部
１１   表面層
１３   中間層
１４   シール層
１５   手繰り寄せられた部分
１６   Ｌ字型の直立部分
１７   切り欠き部
【図１】
2017077910.tif 000003
【図２】
2017077910.tif 000004
【図３】
2017077910.tif 000005
【図４】
2017077910.tif 000006
【図５】
2017077910.tif 000007